(57)【特許請求の範囲】
【請求項１】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整方法であって、
いずれかの遊技島においてパチンコ玉貯留量が所定の過剰状態になったら当該遊技島以外の所定の遊技島へのパチンコ玉の返却制限を開始する第１のステップと、
該第１のステップによって前記返却制限が開始された後に、該返却制限された遊技島が前記所定の過剰状態になる前の状態に復帰したことを検出する第２のステップと、
該第２のステップによって前記所定の過剰状態になる前の状態への復帰が検出されてから、経過する時間を計時する第３のステップと、
前記返却制限された遊技島が前記所定の過剰状態になる前の状態であり続け、かつ、前記第３のステップによって所定時間の経過が計時された場合に、前記返却制限を解除する第４のステップと
を備えることを特徴とするパチンコ玉貯留量調整方法。
【請求項２】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整装置であって、
各パチンコ玉貯留手段のパチンコ玉貯留量が所定の過剰状態になったか否かを検出する過剰状態検出手段と、
該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、
該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、
該過剰前状態復帰検出手段によって過剰前の所定状態に復帰したことが検出されたら計時を開始する過剰前状態復帰後計時手段と、
該過剰前の所定状態に復帰した遊技島において、再び前記所定の過剰状態が検出されることなく、前記過剰前状態復帰後計時手段によって所定時間が計時されたら、前記自島返却制限手段による返却の制限を解除する自島制限解除手段と
を備えることを特徴とするパチンコ玉貯留量調整装置。
【請求項３】
請求項２記載のパチンコ玉貯留量調整装置において、
前記自島返却制限手段による返却の制限が開始されてからの経過時間を計測する自島制限後経過時間計測手段と、
該自島制限後経過時間計測手段が所定時間の経過を計測したら、前記過剰前状態復帰検出手段による過剰前の所定状態への復帰が検出されていなくても、一旦、前記自島返却制限手段による返却の制限を解除する自島制限一旦解除手段と
を備えることを特徴とするパチンコ玉貯留量調整装置。
【発明の詳細な説明】
【０００１】
【発明の属する技術分野】
本発明は、パチンコ機を複数台並べて構成したパチンコ遊技島や、パチンコ機とスロットマシンを併用設置して構成されたいわゆる併用島など、遊技機を複数台並べて構成された遊技島のパチンコ玉貯留量調整方法及び調整装置に係り、特に、いわゆる独立島方式の遊技場における各遊技島のパチンコ玉貯留量調整方法及び調整装置に関する。なお、請求範囲及び以下の実施例を含む詳細な説明において、景品玉，アウト玉，貸し玉といっているのは、いずれもパチンコ玉のことであり、それぞれを区別した方が分かりやすいときにこれらの呼び方をしているものである。
【０００２】
【従来の技術】
従来、独立島方式の遊技場における各遊技島のパチンコ玉貯留量を調整するための技術として、特公平６−７７６２４号が知られている。
この従来技術は、複数の遊技島がそれぞれ、パチンコ玉貯留タンクと、パチンコ玉計数器とを備え、各パチンコ玉貯留タンクに下限センサを設置し、下限センサがオンとなったとき、当該遊技島の隣の遊技島のパチンコ玉計数器を停止して不足状態にある遊技島へのパチンコ玉の返却を促進させるものであった。そして、下限センサがオフとなったら前記停止されていたパチンコ玉計数器を使用可能にしていた。また、この従来技術は、過剰状態の調整として、パチンコ玉貯留タンクに上限センサも設置しており、この上限センサがオンとなったら当該遊技島のパチンコ玉計数器を停止し、オフとなったら使用可能にすることも行っていた。
【０００３】
【発明が解決しようとする課題】
このように、従来の技術では下限センサがオンとなったら隣の計数器を停止するもののオフとなったら直ちに隣の計数器も使用可能にする構成であるため、不足状態に陥った遊技島のパチンコ玉貯留量が下限付近からなかなか回復せず、頻繁に下限を切るような状態が発生することがある。そうなると、隣の遊技島の計数器が頻繁に停止されることとなる。例えば、停止が解除された計数器に遊技客が何人か並んでパチンコ玉の返却を待っているとき、すぐにこの計数器が停止されてしまうと列の後ろにいる遊技客は非常に迷惑する。
【０００４】
同様のことは、過剰状態になった遊技島での計数器の停止・解除の制御についてもいえる。
そこで、本発明は、こうした問題を解決し、遊技島におけるパチンコ玉貯留量の過不足状態が確実に回復させることができ、頻繁に返却制限が生じないようなパチンコ玉貯留量調整方法及び調整装置を提供することを目的とする。
【０００５】
【課題を解決するための手段、作用及び効果】
【０００６】
【０００７】
【０００８】
【０００９】
【００１０】
本発明のベースとなるパチンコ玉貯留量調整方法は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の過剰状態になったら当該遊技島へのパチンコ玉の返却制限を開始し、該過剰状態になった遊技島が当該過剰前の状態に復帰してからさらに所定時間を経過した後に前記返却制限を解除することを特徴とする。
【００１１】
このパチンコ玉貯留量調整方法によれば、ある遊技島でパチンコ玉貯留量が過剰となったとき、当該遊技島へのパチンコ玉の返却制限を開始して、景品玉や貸し玉としてパチンコ玉が消費され、貯留量の自然に減少するのを促す。そして、当該過剰状態に陥る前の所定の状態（例えば、上限を上回った後に再び上限まで戻ったような状態）になってから、さらに所定時間の間上記の制限を継続する。これにより、過剰状態に陥った遊技島への返却がさらに所定時間に渡って制限されるので、さらに自然減少が促され、当該遊技島は過剰状態を十分に下回ることが可能になる。こうして過剰状態から十分に回復すれば、すぐに過剰状態に陥ることはなく、当該遊技島に対する頻繁な制限が繰り返されることがなくなる。
【００１２】
より具体的な例で説明すると、例えば、返却制限がなされている遊技島で上限を切ったとたんに返却を可能にすると、制限が解除されたのを見て直ちに景品玉を返却すると、たった一人ですぐに上限を越えてしまい、再び制限状態になることが考えられる。これに対し、上記方法では、制限を継続している間にパチンコ玉貯留量が十分に減少することが見込まれるので、制限解除後直ちに景品玉が返却されたとしても再び過剰状態に陥る可能性が低くなる。
【００１３】
本発明のパチンコ玉貯留量調整方法は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の過剰状態になったら当該遊技島以外の所定の遊技島へのパチンコ玉の返却制限を開始する第１のステップと、該第１のステップによって前記返却制限が開始された後に、該返却制限された遊技島が前記所定の過剰状態になる前の状態に復帰したことを検出する第２のステップと、該第２のステップによって前記所定の過剰状態になる前の状態への復帰が検出されてから、経過する時間を計時する第３のステップと、前記返却制限された遊技島が前記所定の過剰状態になる前の状態であり続け、かつ、前記第３のステップによって所定時間の経過が計時された場合に、前記返却制限を解除する第４のステップとを備えることを特徴とする。このため、より確実に過剰状態を調整することができ、一層優れたものとなる。
【００１４】
この様に、本発明として上述したパチンコ玉調整方法によれば、パチンコ玉返却手段の制限が解除されたのを見て、直ちに何人かの遊技客が返却のために並んだとしても、列の後ろの遊技客に迷惑をかけ難くなり、遊技客に快適さを与えるという点で、顕著な効果がある。
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
上記過剰状態の調整のための本発明方法を実施する場合のベースとなるパチンコ玉貯留量調整装置は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の過剰状態になったか否かを検出する過剰状態検出手段と、該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、該過剰前状態復帰検出手段によって過剰前の所定状態に復帰したことが検出されたら計時を開始する過剰前状態復帰後計時手段と、該過剰前状態復帰後計時手段によって所定時間が計時されたら、前記自島返却制限手段による返却の制限を解除する自島制限解除手段とを備えることを特徴とする。
【００３０】
この装置によれば、ある遊技島のパチンコ玉貯留量が所定の過剰状態になると、自島返却制限手段が作動し、当該遊技島のパチンコ玉返却手段によるパチンコ玉の返却を制限する。こうしてパチンコ玉の返却が制限されるので、当該遊技島からは景品玉や貸し玉として排出しながら貯留量を自然に減少させ、やがて過剰前の所定の状態に復帰する。従来技術では、この時点で制限を解除していたのであるが、この装置では、過剰前状態復帰後計時手段が、この時点から計時を開始し、さらに、所定時間の間、自島返却制限手段による制限が続行される。この結果、貯留量が自然に減少する状態が継続し、当該遊技島の過剰状態は十分に解消する。そして、自島制限解除手段が返却制限を解除することによって景品交換のための返却が可能になったとしても、再び直ちに過剰状態に陥るということがなく、頻繁な制限の繰り返しを回避することができる。
【００３１】
そして、このような頻繁な制限の繰り返しをより確実に回避するためになされた上記発明方法を実施するためのパチンコ玉貯留量調整装置は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の過剰状態になったか否かを検出する過剰状態検出手段と、該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、該過剰前状態復帰検出手段によって過剰前の所定状態に復帰したことが検出されたら計時を開始する過剰前状態復帰後計時手段と、該過剰前の所定状態に復帰した遊技島において、再び前記所定の過剰状態が検出されることなく、前記過剰前状態復帰後計時手段によって所定時間が計時されたら、前記自島返却制限手段による返却の制限を解除する自島制限解除手段とを備えることを特徴とする。
【００３２】
この装置によれば、自島制限解除手段は、自島が確実に過剰状態を解消し、それが安定的となったときにのみ返却制限を解除するので、当該遊技島がすぐに再び過剰状態となることがなく、上述した様な自島の頻繁な返却制限を回避する効果がより確実になる。
【００３３】
これら過剰状態の調整のためのパチンコ玉貯留量調整装置においては、前記自島返却制限手段による返却の制限が開始されてからの経過時間を計測する自島制限後経過時間計測手段と、該自島制限後経過時間計測手段が所定時間の経過を計測したら、前記過剰前状態復帰検出手段による過剰前の所定状態への復帰が検出されていなくても、一旦、前記自島返却制限手段による返却の制限を解除する自島制限一旦解除手段とを備えることとしてもよい。この場合、自島に対する返却制限がある時間で一旦解除されるので、なかなか過剰状態から復帰しない場合にも、装置が正常に作動していることを外部から目で確認することができ、安心できるという効果がある。
【００３４】
なお、上述の説明において、「返却の制限」とは、「▲１▼  完全に返却ができないようにするもの」はもちろん、「▲２▼  遊技客に対して玉を返却しないように示唆するメッセージを表示」したり「▲３▼  玉の返却速度を遅くする」など各種の手法により、当該制限を受けている島から他の島へと自然に遊技客が流れる様にする手法ならどのようなものでも構わない。この場合、▲１▼を採用するのが最も確実であるが、▲２▼，▲３▼の様に構成する場合には、遊技客が誤ってパチンコ玉を投入してしまっても計数可能という点では優れた面もある。
【００３５】
【発明の実施の形態】
次に、本発明の実施の形態を、具体的な実施例を挙げて図面と共に説明する。
【００３６】
【実施例】
以下、本発明を適用したパチンコホールについて説明する。まず、本発明の実施例の理解を容易にするための参考例について説明する。この参考例のパチンコホールには、図１に示すように、多数のパチンコ機１，１，…及び玉貸し機３，３，…を並べて配設した遊技島５，５，…がそれぞれ独立して複数設置されている。各遊技島５，５，…の一方の端には景品玉計数器１０が配置されている。この結果、遊技者は、どの遊技島５，５，…においても一方の端へ出て来ればパチンコ玉の計数をすることができる。景品玉計数器１０は、公知の様に、玉投入口１１と、計数値表示窓１３と、計数結果印字器１５と、端数の余り玉を返却する返却口１７とを備えたものである。そして、本参考例に特有の構成として、必要に応じて突出する返却中止アーム１９も備えている（図はすべての計数器において突出していない状態を示す。突出した状態においては、図示の返却中止アーム１９が、前方に伸び出てきて、玉投入口１１を覆う状態となる。）。返却中止アーム１９のプレート面には、「返却中止です。他の遊技島で計数して下さい。」といった様な文章を表示してある。これによって、遊技客が他の遊技島へと返却するのを促す役目を果たしている。
【００３７】
各遊技島５には、図２に示すように、入賞時に各パチンコ機１，１，…から景品玉として払い出したり、各玉貸し機３，３，…から貸し玉として払い出すためのパチンコ玉を貯留する大きなメインタンク２１と、少し容量の小さいサブタンク２３とを備え、両タンク２１，２３の間に設置した還元機２５で島上部の配給樋２７へとパチンコ玉を揚送して循環させるように構成されている。また、還元機２５の揚送経路に沿って、各タンク２１，２３のオーバーフロー樋２８，２９も設置されている。
【００３８】
また、メインタンク２１の中に３個の玉量センサ３１〜３３が、また、メインタンク側のオーバーフロー樋２８の中に１個の玉量センサ３４が、サブタンク２３の中に１個の玉量センサ３５が、そしてサブタンク側オーバーフロー樋２９の中に１個の玉量センサ３６が、それぞれ設けられている。
参考例では、各遊技島５，５，…がそれぞれ合計２０万個のパチンコ玉を貯留可能に構成されており、３１〜３５の５個のセンサは、▲１▼センサ３１＝４万個レベル、▲２▼センサ３２＝６万個レベル、▲３▼センサ３３＝１２万個レベル、▲４▼センサ３４＝１６万個レベル、▲５▼センサ３５＝１８万個レベルを、それぞれ検出する役割を果たしている。また、符合３６の付されたセンサは、危険センサと呼ばれ、パチンコ玉がこのレベルまで増加したら還元機２５を強制的に停止するために設けられている。
【００３９】
また、▲１▼〜▲５▼の各玉量センサ３１〜３５は、各遊技島５，５，…の島端に設けられた表示ランプ４０と連動しており、図３に示す様な関係で表示ランプ４０内の▲１▼〜▲５▼電球４１〜４５を点灯するように構成されている。なお、表示ランプ４０内のＳ電球４６は、後述の制御により、当該遊技島の景品玉計数器１０が返却制限状態になったときに点灯するように構成されている。
【００４０】
参考例のシステムは、図４に示すように、各遊技島毎に設けられた制御回路５０，５０，…がそれぞれの遊技島の玉量センサ３１〜３６からの検出信号を入力し、それぞれの遊技島の景品玉計数器１０の返却中止アーム１９を出没させるアーム駆動回路５５へと制御信号を出力するようになっている。また、制御回路５０同士の間も、隣接する制御回路５０との間で信号授受が可能な様に接続されている。なお、各制御回路５０には、それぞれＮｏ．１，Ｎｏ．２の２個ずつのタイマー５６，５７も接続されている。Ｎｏ．１タイマー５６は７分計時用のタイマーであり、Ｎｏ．２タイマー５７は２０分計時用のタイマーである。また、各制御回路５０同士の間には、遮断スイッチ６０が設置されている。この遮断スイッチ６０は、閉店時近くなったような時にオフに操作することで、隣の遊技島の制御回路からの制御信号を受け入れなくするために設けられている。
【００４１】
以上の様なハード的構成に加えて、本参考例では、各制御回路５０が次の様な制御処理を実行している。
各制御回路５０は、図５に示すように、まず、当該遊技島のパチンコ玉貯留量が４万個未満になったか否かを判断する（Ｓ１０）。そして、４万個未満になったと判断された場合には、当該遊技島に隣接する遊技島（隣島）の制御回路に対して景品玉計数器への返却中止を実行させるための信号を出力する（Ｓ２０）。これにより、隣島では返却中止アーム１９が駆動され、景品玉計数器１０への返却が制限された状態になる。
【００４２】
こうして隣島に返却制限を実行させたら、パチンコ玉貯留量が４万個以上に回復するのを待ち（Ｓ３０）、パチンコ玉貯留量が４万個以上に回復したら、Ｎｏ．１タイマー５６をリセットスタートさせ（Ｓ４０）、Ｎｏ．１タイマー５６がタイムアップして初めて隣島に対する返却制限を解除する（Ｓ５０，Ｓ６０）。これにより、４万個未満となった遊技島の隣の遊技島は、４万個未満が解消した後さらに７分間は返却を制限されることになる。従って、４万個未満の玉量不足状態に陥った遊技島は、この７分間で４万個から相当量上回ったところまでパチンコ玉貯留量を確実に回復させることができる。この結果、再びＳ１０が実施されても直ちに隣島の返却制限が開始されてしまうことはなく、隣島への返却制限が繰り返されることはない。
【００４３】
以上は、パチンコ玉貯留量不足の状態に対する貯留量回復を促すための処理であるが、Ｓ１０にて「ＮＯ」と判断されると、処理はＳ１１０へと移行し、パチンコ玉貯留量が１８万個以上になったか否かを判断する。そして、１８万個以上になったと判断された場合には、当該遊技島自身（自島）の景品玉計数器への返却中止を実行させるため、自島のアーム駆動回路に対して返却中止実行のための信号を出力する（Ｓ１２０）。これにより、パチンコ玉貯留量が過剰状態となった遊技島では返却中止アーム１９が駆動され、景品玉計数器１０への返却が制限された状態になる。
【００４４】
こうして自島の返却制限を実行させたら、パチンコ玉貯留量が１８万個以上のままか否かを再度判断する（Ｓ１３０）。そして、１８万個未満になるまで待機し続け、１８万個未満になって初めてＮｏ．２タイマー５７をリセットスタートする（Ｓ１４０）。そして、Ｎｏ．２タイマー５７がタイムアップするのを待って、自島に対する返却制限を解除する（Ｓ１５０，Ｓ１６０）。これにより、１８万個以上となった遊技島は、１８万個以上の状態が解消した後さらに２０分間は返却を制限されることになる。従って、この２０分間で１８万個から相当量下回ったところまでパチンコ玉貯留量を確実に戻すことができる。この結果、再度Ｓ１１０の判断が実施されても直ちに自島の返却制限が開始されてしまうことはなく、自島への返却制限が繰り返されることはない。
【００４５】
以上説明した様に、本参考例によれば、各遊技島のいずれかが貯留量４万個未満の不足状態になったら隣島への返却制限を行って景品玉を返却しようとうする遊技客を当該不足状態の遊技島の景品玉計数器へと自然に誘導し、不足を解消し易くする。そして、不足状態に陥った遊技島の貯留量が４万個以上になっても直ちに隣島への返却制限を解除するのではなく、そこから７分間制限を継続することで、４万個から相当量上回った状態まで回復させる。よって、隣島が再び返却制限に陥ることがない。
【００４６】
これと同様に、本参考例によれば、各遊技島のいずれかが貯留量１８万個以上の過剰状態になったら自島への返却制限を行って、景品玉や貸し玉として払い出されて自然に貯留量が減少するのを待つ。そして、自然に貯留量が減少してきて過剰状態に陥った遊技島の貯留量が１８万個未満になっても直ちに自島への返却制限を解除するのではなく、そこから２０分間制限を継続することで、１８万個から相当量下回った状態まで戻させる。よって、自島が再び返却制限に陥ることがない。
【００４７】
なお、閉店近くになったときに遮断スイッチ６０を操作して制御回路５０同士の間をオフにしてやれば、各遊技島の制御回路間の信号授受をできなくすることができ、上述した隣島からの返却制限が実施されないようにすることができる。この構成により、閉店間際で景品交換に多数の客が殺到するときに、計数器が使えないで困るといった状況をなくすことができる。しかし、自島に対する返却制限は可能なので、過剰状態に陥った遊技島については返却を制限し、翌日の開店に支障を来さないようにすることはできている。遮断スイッチ６０は、各遊技島５，５，…の近傍に設置しておいてホール係の店員が鍵等を利用して操作するように構成してもよいし、集中管理室から遠隔操作で操作できるようにしてもよい。
【００４８】
加えて、このシステムでは、島端に玉貯留量を表示するランプ４０を設けたので、パチンコ店のホール係の店員は、各遊技島がどのような玉貯留状態にあるのかを一目で確認できるようになっている。また、遊技客にとっても、どの遊技島において返却制限がなされているのかが一目で分かるという利点もある。
【００４９】
次に、第２参考例を説明する。第２参考例は、ハード的構成を第１参考例と同一にし、制御処理の内容を若干変えたものである。
各制御回路５０は、図６に示すように、第１参考例と同様に、遊技島のパチンコ玉貯留量が４万個未満になったら隣島の制御回路に対して景品玉計数器への返却中止を実行させるための信号を出力する（Ｓ１０，Ｓ２０）。こうして隣島に返却制限を実行させたら、直ちに、Ｎｏ．１タイマー５６をリセットスタートさせる（Ｓ２５）。そして、パチンコ玉貯留量が４万個以上に回復したか否かを判断し（Ｓ３０）、回復していない場合であっても、最初の７分が経過したら（Ｓ３５＝ＹＥＳ）、一旦、隣島に対して、返却中止の解除を指示する（Ｓ６５）。これにより、隣島の返却中止が一旦解除され、景品玉計数器１０が使用可能な状態になる。この一旦解除処理では、数分間だけ返却中止の解除を行ったら隣島の制限を再開し、Ｓ２５へ戻るようにしておく。
【００５０】
なお、パチンコ玉貯留量が４万個未満でなくなった後の処理は第１参考例と同様である。また、過剰状態に対する制御処理も第１参考例と同様である。
以上説明した第２参考例によれば、隣島の返却制限は、不足状態の遊技島の回復状態が遅い場合には最初の７分で一旦解除される。これにより、不足状態がなかなか解消しない場合に、遊技客や店員に対して、景品玉計数器１０や制御回路５０の故障ではないということを知らしめることとなり、安心感を与える。また、一旦、数分間程度返却可能にすることで、計数器が混み合っているようなときにサービスを向上させることができる。
【００５１】
次に、第３参考例を説明する。この第３参考例は、図７に示すように、各制御回路５０に、７分計時用のＮｏ．３タイマー５８をも設置した点でシステムのハード構成が第１，第２参考例と若干相違する。制御処理は概ね第２参考例と同様であるが、図８に示すように、Ｓ３０で４万個以上に回復したと判断された後の処理で、Ｎｏ．１タイマー５６ではなくＮｏ．３タイマー５８をリセットスタートさせるようにしている（Ｓ７０）。これにより、４万個以上に回復した後は、先に７分の計時を開始したＮｏ．１タイマー５６と、後から７分の計時を開始したＮｏ．３タイマー５８とが平行して計時を行っている状態となる。このため、第３参考例では、Ｎｏ．３タイマー５８がタイムアップするか、あるいはＮｏ．１タイマー５６がタイムアップするのを待つ（Ｓ７５，Ｓ８０）。通常は、先に計時の始まっているＮｏ．１タイマー５６の方が先にタイムアップするので、まずＳ８０がＹＥＳとなり、隣島への返却制限を一定時間だけ解除する（Ｓ８５）。この一旦解除処理の内容は、Ｓ６５と同様に、数分間の間だけ隣島に対して返却中止指令を停止する形式とする。その後は、再びＮｏ．１タイマー５６をリセットスタート（Ｓ８７）してからＳ７５へ戻り、Ｎｏ．３タイマー５８がタイムアップするまで再び隣島の返却制限が続行され、最終的には、４万個以上に達した後７分経過の時点で隣島への返却制限が完全に解除されることとなる（Ｓ７５→Ｓ６０）。Ｓ１１０以下の制御は第１，第２参考例と全く同様である。
【００５２】
この実施例によれば、隣島は、返却制限が開始されてから７分経過後には、常に一旦返却可能な状態に復帰する。従って、第２実施例では、最長１４分弱に渡って隣島の返却制限が続行する場合があり得たが、この第３実施例では少なくとも７分後には一旦解除されるので、あまりにも長時間に渡って隣島の返却が制限され続けることがなくなる。
【００５３】
次に、本発明の第１実施例を説明する。この第１実施例は、第１参考例とほぼ同様であるが、図９に示すように、制御処理の内容が若干相違している。
この第１実施例では、Ｓ３０でＹＥＳとなった後にＮｏ．１タイマー５６をリセットスタートするところまでは第１参考例と同じであるが、この後で、まず、もう一度、パチンコ玉貯留量が４万個以上であるか否かを判断し（Ｓ４５）、パチンコ玉貯留量が４万個以上であり続ける場合にだけＮｏ．１タイマー５６のタイムアップが検出されたか否かの判断に進む。そして、Ｎｏ．１タイマー５６がタイムアップする前に、再び４万個未満となってしまった場合には、Ｓ３０へ戻り、隣島への返却中止解除をおあずけの状態にする。
【００５４】
過剰側の制御についても、この不足側の制御と同様に、Ｓ１４０とＳ１５０の間に、もう一度、パチンコ玉貯留量が１８万個未満であるか否かを判断し（Ｓ１４５）、パチンコ玉貯留量が１８万個未満であり続け、かつ、Ｎｏ．２タイマー５７がタイムアップした場合にだけＳ１６０を実行するように構成してある。
【００５５】
この様に構成することで、不足状態の解消及び過剰状態の解消がより確実かつ安定的に行われる点で、第１参考例よりも一層の確実性・安定性を有することとなる。
次に、第２実施例を説明する。この第２実施例は、第３参考例とほぼ同様であるが、図１０，図１１に示すように、制御処理の内容が若干相違している。
【００５６】
この第５実施例では、Ｓ３０でＹＥＳとなった後にＮｏ．３タイマー５８をリセットスタートするところまでは第３実施例と同じであるが、この後で、まず、もう一度、パチンコ玉貯留量が４万個以上であるか否かを判断し（Ｓ７３）、パチンコ玉貯留量が４万個以上であり続ける場合にだけ、Ｓ７５以下の処理へ進む。なお、Ｓ７５，Ｓ８０共に「ＮＯ」の場合は、再びＳ７３へ戻る。また、Ｓ８５へ進んで一旦解除処理が実施された場合も、Ｓ８７でＮｏ．１タイマー５６をリセットスタートしたらＳ７３へ戻る。
【００５７】
過剰側の制御についても、この不足側の制御と同様に、Ｓ１４０とＳ１５０の間に、もう一度、パチンコ玉貯留量が１８万個未満であるか否かを判断し（Ｓ１４５）、パチンコ玉貯留量が１８万個未満であり続け、かつ、Ｎｏ．２タイマー５７がタイムアップした場合にだけＳ１６０を実行するように構成してある。
【００５８】
この様に構成することで、不足状態の解消及び過剰状態の解消がより確実かつ安定的に行われる点で、第３参考例よりも一層の確実性・安定性を有することとなる。
次に、第４参考例を説明する。この第４参考例は、第２参考例とほぼ同様であるが、図１２，図１３に示すように、制御処理の内容が若干相違している。
【００５９】
この第４参考例では、図１２に示すように、不足状態の調整は第２参考例と全く同じであるが、図１３に示すように、過剰状態の調整に相違があり、過剰状態に対する自島の制限が開始されたら、直ちにＮｏ．２タイマー５７をリセットスタートする（Ｓ１７０）。そして、その上で、パチンコ玉貯留量が１８万個未満まで減少したか否かを判断する（Ｓ１３０）。１８万個未満に減少している場合には、第２参考例と同様に処理するが、１８万個未満になっていない場合には、Ｎｏ．２タイマー５７がタイムアップしたか否かを判断する（Ｓ１７５）。そして、自島の制限開始後、１８万個未満に減少していなくても、２０分が経過してしまった場合には、不足状態の解消が遅い場合と同様の一旦解除処理（Ｓ１８０）を実行する。これにより、自島の制限が一旦解除され、数分間は返却可能な状態となる。これにより、遊技客やホール係は、当該遊技島の計数器が故障しているわけではないことを知ることができ、安心できる。
【００６０】
以上、本発明の実施例を説明したが、本発明は、上記実施例に限定されるものではなく、本発明の要旨を逸脱しない限り種々なる態様に変形することが可能である。
【図面の簡単な説明】
【図１】  実施例及び参考例としてのパチンコホールの全体の斜視図である。
【図２】  実施例及び参考例における遊技島の内部構造を示す断面図である。
【図３】  実施例及び参考例における表示ランプと玉量センサとの関係を示すブロック図である。
【図４】  第１参考例における制御系統のブロック図である。
【図５】  第１参考例における玉貯留量調整処理のフローチャートである。
【図６】  第２参考例における玉貯留量調整処理のフローチャートである。
【図７】  第３参考例における制御系統のブロック図である。
【図８】  第３参考例における玉貯留量調整処理のフローチャートである。
【図９】  第１実施例における玉貯留量調整処理のフローチャートである。
【図１０】  第２実施例における玉貯留量調整処理のフローチャートである。
【図１１】  第２実施例における玉貯留量調整処理のフローチャートである。
【図１２】  第４参考例における玉貯留量調整処理のフローチャートである。
【図１３】  第４参考例における玉貯留量調整処理のフローチャートである。
【符号の説明】
１・・・パチンコ機、３・・・玉貸し機、５・・・遊技島、１０・・・景品玉計数器、１９・・・返却中止アーム、２１・・・メインタンク、２３・・・サブタンク、２５・・・還元機、２７・・・配給樋、２８，２９・・・オーバーフロー樋、３１〜３６・・・玉量センサ、４０・・・表示ランプ、４１〜４６・・・電球、５０・・・制御回路、５５・・・アーム駆動回路、５６〜５８・・・タイマー、６０・・・遮断スイッチ。
【図１】
0003801105.tif 000002
【図２】
0003801105.tif 000003
【図３】
0003801105.tif 000004
【図４】
0003801105.tif 000005
【図５】
0003801105.tif 000006
【図６】
0003801105.tif 000007
【図７】
0003801105.tif 000008
【図８】
0003801105.tif 000009
【図９】
0003801105.tif 000010
【図１０】
0003801105.tif 000011
【図１１】
0003801105.tif 000012
【図１２】
0003801105.tif 000013
【図１３】
0003801105.tif 000014